(57)【要約】      （修正有）【課題】主に輸送時に破損の原因となっていた本体から突出する接続部を本体の内部に挿入したダクトチャンバーを提供する。【解決手段】ダクトチャンバー１は、内部が空洞の本体１１と、ダクトを接続するダクト接続部２２と、吹出具を接続する吹出具接続部とを備えている。そして、前記吹出具接続部を本体の内部に挿入する本体内部スライド挿入機構と、本体外部スライド機構と、吹出具接続部の挿入及び突出の状態を保持する保持手段とを有する。【選択図】図２
0003169924.tif 000002
【実用新案登録請求の範囲】
【請求項１】
二以上の送風口を備え、内部が空洞の本体を有するものであって、
送風口の周囲から突出して連結対象部材を接続する接続部と、
該接続部の一部若しくは全部を本体内部へ挿入する挿入機構と、
該接続部の挿入及び突出の状態を保持する保持手段を有することを特徴とするダクトチャンバー。
【請求項２】
第一の送風口はダクト送風口であって、本体のダクト送風口の周縁を外方に延長してダクトを接続するダクト接続部を有し、
第二の送風口は吹出具送風口であって、吹出具を接続する吹出具接続部を備え、
本体と吹出具接続部とに、吹出具接続部を挿入する挿入機構と、吹出具接続部の挿入及び突出の状態を保持する保持手段があることを特徴とする請求項１に記載のダクトチャンバー。
【請求項３】
吹出具接続部は上面及び下面が開放された筒状の部材であって、
本体の内部で固定され、吹出具送風口から本体の外部まで突出することを特徴とする請求項２に記載のダクトチャンバー。
【請求項４】
挿入機構は、吹出具接続部の挿入経路に沿って本体の内部側に形成する内側レールと、吹出具接続部から外方に突出した接続部ガイドとからなる本体内部スライド機構であって、
接続部ガイドは、本体の内側レールに係合し、該内側レールに沿って吹出具接続部の突出及び挿入に従いスライドすることを特徴する請求項２または３のいずれかに記載のダクトチャンバー。
【請求項５】
挿入機構は、吹出具接続部の挿入経路に沿って吹出具接続部の外側に形成する外側レールと、本体から突出した本体ガイドとからなる本体外部スライド機構であって、
本体ガイドは、外側レールに係合し、該外側レールに沿って吹出具接続部の突出及び挿入に従いスライドすることを特徴する請求項２、３または４のいずれかに記載のダクトチャンバー。
【請求項６】
保持手段は、本体の内部に固定された本体保持具と、吹出具接続部の内部に固定された接続部保持具と、本体保持部と接続部保持部とを連結する連結具と、連結部を本体保持部とを固定する連結具固定部とからなることを特徴とする請求項２、３、４または５のいずれかに記載のダクトチャンバー。
【考案の詳細な説明】
【技術分野】
【０００１】
本考案は、ダクト等を連結するダクトチャンバーであって、主として屋内に送風するための吹出具にダクトを連結するダクトチャンバーに関する。
【背景技術】
【０００２】
空調機器からの気体を通気するダクトと屋内に通気するための吹出具とを連結するためにダクトチャンバー１０１が用いられている。従来のダクトチャンバー１０１を図８に示す。
【０００３】
図８（ａ）に示すように、このダクトチャンバー１０１は、その形状が直方体で内部が空洞の本体１０２からなる。本体１０２は、ダクトからの送風を内部に導入するため、その表面に丸孔のダクト送風口１０３が開口している。ダクト送風口１０３は、ダクトを連結するために、その周縁を延長したダクト接続部１０４が形成されている。
【０００４】
また、図８（ｂ）に示すように、ダクトチャンバー１０１の本体１０２の底面を長方形状に開口し、吹出具に送風するための吹出具送風口１０５が形成されている。吹出具送風口１０５は、ダクト接続部１０４と同様に、吹出具と連結するために、その周縁を延長した吹出具接続部１０６が形成されている。
これにより、ダクトを通じて送られる気体をダクトチャンバー１０１を介して吹出具へ通気し、吹出具から屋内へ通気していた。
【考案の概要】
【考案が解決しようとする課題】
【０００５】
従来のダクトチャンバー１０１は、吹出具接続部１０６が突出した形状であり、破損の可能性が高く、輸送時の安定性が悪かった。つまり、輸送時に本体１０２の吹出具接続部１０６が下側に来るようにダクトチャンバー１０１を直立させていた。この状態で輸送すると吹出具接続部が本体１０２よりも小さいために、その直立させた状態の安定性が悪い。また、吹出具接続部１０６が突出しているため、他の部材と接触して破損することが多かった。また、吹出具接続部１０６の強度は強いものではないので、一部が破損して使用できなくなるものもあった。
しかも、従来のダクトチャンバー１０１は吹出具接続部１０６が突出しているため、天井裏に施工するときに梁の間隔が狭いなど、ダクトチャンバー１０１の施工位置までの搬入が難しいことがあり、コンパクトに搬入できるものが望まれていた。また、吹出具が固定されている場合に、ダクトチャンバー１０１を固定してから、吹出具接続部１０６の取付を調整できるものも望まれていた。
【課題を解決するための手段】
【０００６】
そこで、本考案のダクトチャンバーは、二以上の送風口を備え、内部が空洞の本体を有するものであって、送風口の周囲から突出して連結対象部材を接続する接続部と、該接続部の一部若しくは全部を本体内部へ挿入する挿入機構と、
該接続部の挿入及び突出の状態を保持する保持手段を有することを特徴とするものである。
【０００７】
また、第一の送風口はダクト送風口であって、本体のダクト送風口の周縁を外方に延長してダクトを接続するダクト接続部を有し、第二の送風口は吹出具送風口であって、吹出具を接続する吹出具接続部を備え、本体と吹出具接続部とに、吹出具接続部を挿入する挿入機構と、吹出具接続部の挿入及び突出の状態を保持する保持手段があることが好ましい。
【０００８】
また、吹出具接続部は上面及び下面が開放された筒状の部材であって、本体の内部で固定され、吹出具送風口から本体の外部まで突出することが好ましい。
【０００９】
また、挿入機構は、吹出具接続部の挿入経路に沿って本体の内部側に形成する内側レールと、吹出具接続部から外方に突出した接続部ガイドとからなる本体内部スライド機構であって、接続部ガイドは、本体の内側レールに係合し、該内側レールに沿って吹出具接続部の突出及び挿入に従いスライドすることが好ましい。
【００１０】
また、挿入機構は、吹出具接続部の挿入経路に沿って吹出具接続部の外側に形成する外側レールと、本体から突出した本体ガイドとからなる本体外部スライド機構であって、本体ガイドは、外側レールに係合し、該外側レールに沿って吹出具接続部の突出及び挿入に従いスライドすることが好ましい。
【００１１】
また、保持手段は、本体の内部に固定された本体保持具と、吹出具接続部の内部に固定された接続部保持具と、本体保持部と接続部保持部とを連結する連結具と、連結部を本体保持部とを固定する連結具固定部とからなることが好ましい。
【考案の効果】
【００１２】
請求項１に記載の考案によれば、ダクトチャンバーは、主に輸送時に破損の原因となっていた本体から突出する接続部が本体の内部に挿入されることにより、本体から突出した部分がなくなり、接続部を下にして直立させたとしても安定が良く、破損し難くなる。
また、保持手段を有することにより、接続部を突出させた状態と本体に挿入された状態を適切に保持することができる。
【００１３】
請求項２に記載の考案によれば、輸送時にダクトチャンバーが倒れて破損することが少なくなる。つまり、ダクトチャンバーはダクト接続部よりも吹出具接続部が大きく、輸送時に大きな吹出具接続部が下側に来るように置かれることが多かった。この突出した吹出具接続部を下側にして置くと不安定な状態となる。そこで、吹出具接続部を本体内部に挿入すると、輸送時に不安定な状態となることがなく、破損し難くなる。
また、施工位置まで吹出具接続部を本体に挿入した状態で搬入することができ、搬入スペースが狭い場合でもコンパクトな状態で搬入することができる。しかも、吹出具接続部の長さを調節できるため、本体を施工位置に固定してからでも、予め固定されている吹出具に取り付けることが可能になる。
【００１４】
請求項３に記載の考案によれば、筒状の吹出具接続部を有することで、吹出具接続部を突出させた状態や本体内部に挿入した状態であっても、本体内部の冷気や暖気を吹出具に通気することができる。
また、筒状となっていることで、本体内部から固定しても、その固定手段が通気の経路を遮断することがなく、円滑に通気することができる。
【００１５】
請求項４に記載の考案によれば、本体の内側にレールがあり、ガイドにより吹出具接続部の突出や挿入のスライドを適切に導くことができ、円滑にスライドさせることができる。
【００１６】
請求項５に記載の考案によれば、外側にレールとガイドがあり、吹出具接続部の突出や挿入のスライドを適切に導くことができ、円滑にスライドさせることができる。
【００１７】
請求項６に記載の考案によれば、保持手段を有するため、適切に吹出具接続部の突出や本体内部への挿入の状態を保持することができる。また、本体の内部に保持手段があり、外側から見えず、外観上優れたものとなる。
しかも、保持手段が本体の内部にあることから、取付後、外的な要因により保持手段が損傷することが少なくなる。
【図面の簡単な説明】
【００１８】
【図１】本考案のダクトチャンバーの使用状態の一例を示す斜視図である。
【図２】本考案のダクトチャンバーの一例を示す斜視図である。
【図３】本考案のダクトチャンバーの一例を示す底面図である。
【図４】保持手段を除いた図２のＡ−Ａ線断面図であり、（ａ）は吹出具接続部を本体から突出させた状態を示し、（ｂ）は吹出具接続部を本体に挿入した状態を示す。
【図５】本考案のダクトチャンバーの一例を示す底面を上側にした拡大一部斜視図であり、（ａ）は吹出具接続部を本体から突出させた状態を示し、（ｂ）は吹出具接続部を本体に挿入した状態を示す。
【図６】内部スライド機構を除いた図２のＡ−Ａ線断面図であり、（ａ）は吹出具接続部を本体から突出させた状態を示し、（ｂ）は吹出具接続部を本体に挿入した状態を示す。
【図７】本考案の第二実施例を示す図２のＡ−Ａ線断面図である。
【図８】（ａ）は従来例を示す斜視図であり、（ｂ）はその底面図である。
【考案を実施するための形態】
【００１９】
本考案を実施するための形態について図面に沿って説明する。
図１は、本考案のダクトチャンバー１の一般的な使用状態を示す。ダクトチャンバー１は、ダクト３と吹出具４とを接続するために使用する。図示しない空調機器からの冷気や暖気は、内部が空洞で主に円筒状のダクト３を通じてダクトチャンバー１に通気され、さらにダクトチャンバー１から吹出口５を有する吹出具４へ通気されて、屋内へ排出される。
【００２０】
図１に示すように、ダクトチャンバー１は天井板２の裏側に、吹出具４の吹出口５のみが露出するように取り付けられる。なお、ダクトチャンバー１は天井板２への吹出口５を備えた吹出具４に接続するために用いられるもののみではなく、複数のダクト３と接続する場合やその他の場合に用いられるものであってもよい。また、天井板２の裏側に取り付けるものに限定されるものではなく、屋内の壁材等その他のところに取り付けるものであってもよい。
【００２１】
図２は、本考案のダクトチャンバー１を示す。
ダクトチャンバー１の形状は、本体１１とダクト接続部２２と吹出具接続部３２とからなる。
本体１１は、その形状が直方体で内部１３が空洞となるものであって、グラスボード材により形成されている。本体１１の各面との接合部分や本体１１の表面は鋼板による補強枠１２を貼り付けて補強されている。本体１１や補強枠１２の材質はこれのみに限定されるものではなく、全てを鋼板にする等、他のものでもよい。
【００２２】
本体１１の前面（図２の左手前側の面）に円形に開口された第一の送風口であるダクト送風口２１が開口されている。このダクト送風口２１により、ダクト３から送られる冷気や暖気等の気体を本体１１の内部１３に通気する。
【００２３】
また、ダクト送風口２１の周縁を本体１１の前面（図２の左手前側の面）に延長して円筒状にし、ダクト接続部２２が形成されている。また、ダクト接続部２２の一部を凸状にした凸状部２３が形成されている。
【００２４】
図１に示すように、ダクト接続部２２にダクト３を接続して、ダクト３と本体１１とを連結する。具体的には、ダクト接続部２２の外径がダクト３とほぼ同径であるので、ダクト３が凸状部２３から本体１１に至るまでダクト接続部２２の外側を覆うように嵌め込んで接続する。そして、図示しないが凸状部２３の付近で固定枠を取り付けて取付状態を固定する。
なお、ダクト送風口２１やダクト接続部２２の形状はこれのみに限定されず、その数も一つのみに限定されるものではなく複数としてもよい。
【００２５】
図３に示すように、本体１１の底面１６は、長方形状に開口して第二の送風口である吹出具送風口３１としてある。この吹出具送風口３１により本体１１の内部１３に送られた冷気や暖気を吹出具４へ通気する。
【００２６】
図３、図４（ａ）、（ｂ）に示すように、その吹出具送風口３１の縁付近から吹出具４と接続するための吹出具接続部３２が突出するように配置されている。吹出具接続部３２は、その上側と下側とを開放した筒状であり、使用する状態では本体１１の内部１３からその下側が吹出具送風口３１を通じて本体１１の外側に突出している。吹出具接続部３２は、筒状であるため、本体１１の内部１３にダクト３から送られた冷気や暖気を、連結した吹出具４へ通気することができる。
【００２７】
吹出具接続部３２は必ずしもこの形状のみに限定されない。吹出具接続部３２は吹出具４に連結されるものであり、吹出具４側の形状に合わせて円筒状の形状等他の形状としてもよい。
また、吹出具送風口３１や吹出具接続部３２の数も必ずしも一つである必要はなく、複数としてもよい。
【００２８】
図４（ａ）、図５（ａ）に示すように、筒状の吹出具接続部３２は、本体１１の内部１３から吹出具送風口３１を通じて本体１１の外側へ突出した使用状態から、図４（ｂ）、図５（ｂ）に示すように、その突出した部分を本体１１の内部１３へとスライドさせて挿入することができる。そのスライドさせて挿入することを円滑に行うことができるように、本体内部スライド機構３０と本体外部スライド機構４０を有する。
【００２９】
図４（ａ）、（ｂ）は、本体内部スライド機構３０により、吹出具接続部３２が本体１１の内部１３に挿入される状態を示す。この本体内部スライド機構３０の一例としては、本体１１の内部１３側の側方壁１４にスライド溝１５を吹出具接続部３２のスライド方向に沿って形成し、このスライド溝１５に係合するガイド３５を吹出具接続部３２に形成した場合を上げることができる。
【００３０】
ガイド３５は吹出具接続部３２の側方においてスライド溝１５と対応する位置から突出させ、スライド溝１５を通った後、幅広に形成されている。このガイド３５により、スライド溝１５が形成される溝方向と同じ方向にしかスライドできず、円滑にスライドして吹出具接続部３２を本体１１の内部１３に挿入することができる。
また、ガイド３５が幅広に形成されているので、スライド溝１５から取り外すことができず、吹出具接続部３２を本体１１の内部１３にスライド可能な状態で固定することができる。
【００３１】
図５（ａ）、（ｂ）は、本体外部スライド機構４０により、吹出具接続部３２が本体１１の内部１３に挿入される状態を示す。
本体外部スライド機構４０は、本体内部スライド機構３０とは別に、本体１１の底面１６側に形成されている。本体外部スライド機構４０は、本体１１の底面１６を一部、吹出具接続部３２側へ突出させた底面ガイド１７と、接続部スライド溝３４とからなる。
【００３２】
吹出具接続部３２の四方隅には金属板状の補強枠３３、３３が取り付けられるので、一方の補強枠３３と他方の補強枠３３との間に接続部スライド溝３４を形成することができる。この接続部スライド溝３４は吹出具接続部３２のスライド方向と同じ方向となるように形成され、本体１１の底面１６から凸状に突出した底面ガイド１７が係合する。
この本体外部スライド機構４０により、接続部スライド溝３４に係合する底面ガイド１７を介して、吹出具接続部３２を円滑にスライドさせることができる。
【００３３】
本考案の他の実施例として、図７に示すように、吹出具接続部５１が蛇腹状に形成されることで、本体１１の内部１３へ挿入することができるものであってもよく、吹出具接続部が本体１１の内部１３に挿入されるものであればその他の形態であってもよい。
【００３４】
この第二実施例は、吹出具接続部５１が下側を開放した箱状の形状であり、吹出具接続部５１の上面が本体１１の内部１３で固定されている。そして、吹出具接続部５１のうちその上側部分が蛇腹状に形成された蛇腹部分５２となる。この蛇腹部分５２により、吹出具接続部５１の上下方向（図７の上下方向）の長さが圧縮され、吹出具接続部５１の使用状態から本体１１の内部へ挿入することができる。なお、この場合、図示しないが、吹出具接続部５１の使用状態でダクト送風口２１からの通気を受けるために、吹出具接続部にも開口部分を設ける。
【００３５】
また、本考案は本体内部スライド機構３０、本体外部スライド機構４０により、吹出具接続部３２を本体１１の内部１３への挿入を補助しているが、必ずしも両方が備わっている必要はなく、その一方であってもよい。
また、スライド機構の形態や位置も本実施例に限定されない。
【００３６】
図３、図６（ａ）、（ｂ）に示すように、本体１１の内部１３に吹出具接続部３２の突出した状態と挿入された状態を保持する保持手段が形成される。この保持手段は、本体１１の内部１３の本体保持具４１と、吹出具接続部３２の内部の接続部保持具４２と、それらの連結具である保持用長ネジ４３とからなる。
【００３７】
平板状の本体保持具４１は本体１１の内部１３の一方の内側壁から対向する内側壁に掛け渡されて固定されており、同じく平板状の接続部保持具４２は吹出具接続部３２の一方の内側壁から対向する内側壁に掛け渡されて固定されている。吹出具接続部３２のスライド方向と同じ方向に保持用長ネジ４３が、接続部保持具４２と本体保持具４１とにかけてネジ止めされている。
また、本体保持具４１に連結具固定部であるナット４４が保持用長ネジ４３の螺入により回動しないように固定されている。
【００３８】
図６（ａ）に示す本体１１の内部１３から吹出具接続部３２が突出している状態と、図６（ｂ）に示す本体の内部１３に挿入された状態とを保持することができる。これは、本体保持具４１にナット４４が回動しないように固定されているため、図６（ａ）の状態から保持用長ネジ４３を回動させて螺入していくと、接続部保持具４２が吹出具接続部３２とともに、本体１１の内部１３へ挿入される。そして、図６（ｂ）の状態から保持用長ネジ４３を逆方向へ回動させると、接続具保持具４２が吹出具接続部３２とともに、本体１１の内部１３から突出する方向へ押し出される。保持用長ネジ４３の回動を止めれば、その位置で吹出具接続部３２の位置を保持することができる。
このようにして、吹出具接続部３２の突出及び挿入する状態を保持することができる。
【００３９】
保持手段の一例を示したが、必ずしもこれのみに限定されるものではない。
突出した状態と挿入された状態とをフックで係合させて保持する場合や、突出した状態と挿入された状態をピンとピン受け孔に係合させて保持する場合等、その他の形態としてもよい。
【符号の説明】
【００４０】
１…ダクトチャンバー、３…ダクト、４…吹出具、１１…本体、１３…内部、２１…ダクト送風口、２２…ダクト接続部、３０…本体内部スライド機構、３１…吹出具送風口、３２…吹出具接続部、４０…本体外部スライド機構、４３…保持用長ネジ
【図１】
0003169924.tif 000003
【図２】
0003169924.tif 000004
【図３】
0003169924.tif 000005
【図４】
0003169924.tif 000006
【図５】
0003169924.tif 000007
【図６】
0003169924.tif 000008
【図７】
0003169924.tif 000009
【図８】
0003169924.tif 000010